(57)【特許請求の範囲】
【請求項１】
分針と、
この分針を回転させる第１のステップモータと、
時針と、
この時針を回転させる第２のステップモータと、
外部から回転操作される回転操作部材と、
この回転操作部材が回転した際に前記回転操作部材の回転速度が所定以上か否かを判別する判別手段と、
前記判別手段の判別結果のパターンが第１パターンとなった場合に前記分針および前記時針を時刻表示中の回転比で連動させて早送りさせる第１の駆動制御を行う第１早送制御手段と、
前記判別手段の判別結果のパターンが第２パターンとなった場合に前記時針を早送りで１時間分進ませる第２の駆動制御を行う第２早送制御手段と、
を備え、
前記第２早送制御手段は、
前記判別手段の判別結果のパターンが前記第１パターンとなった後に前記第２パターンとなった場合に前記第２の駆動制御を行うことを特徴とする電子時計。
【請求項２】
分針と、
この分針を回転させる第１のステップモータと、
時針と、
この時針を回転させる第２のステップモータと、
外部から回転操作される回転操作部材と、
この回転操作部材が回転した際に前記回転操作部材の回転速度が所定以上か否かを判別する判別手段と、
前記判別手段の判別結果のパターンが第１パターンとなった場合に前記分針および前記時針を時刻表示中の回転比で連動させて早送りさせる第１の駆動制御を行う第１早送制御手段と、
前記判別手段の判別結果のパターンが第２パターンとなった場合に前記時針を早送りで１時間分進ませる第２の駆動制御を行う第２早送制御手段と、
を備え、
前記第２早送制御手段は、
前記第１の駆動制御中に前記判別手段の判別結果のパターンが前記第２パターンとなった場合に前記第２の駆動制御を行うことを特徴とする電子時計。
【請求項３】
前記第１早送制御手段は、
前記第２早送制御手段により前記第２の駆動制御が実行された後、再び、前記第１の駆動制御を開始することを特徴とする請求項１又は２に記載の電子時計。
【請求項４】
前記第１パターンとは、
前記所定以上の回転速度の判別がＮ回（Ｎは任意の整数）行われたパターンであり、
前記第２パターンとは、
前記第１パターンに続いて、さらに、前記所定以上の回転速度の判別がＭ回（Ｍは任意の整数）行われたパターンである
ことを特徴とする請求項１〜３の何れか一項に記載の電子時計。
【請求項５】
前記第１パターンとは、
前記所定以上の回転速度でないと判別されたパターンであり、
前記第２パターンとは、
前記所定以上の回転速度であると判別されたパターンである
ことを特徴とする請求項１〜３の何れか一項に記載の電子時計。
【請求項６】
前記第１の駆動制御は、
前記分針が分の目盛で６０分の移動量を進む間に前記時針が時の目盛で１時間分の移動量を進むように前記分針と前記時針とを連動させ、且つ、時刻表示中よりも速い速度で回転させる制御であることを特徴とする請求項１〜５の何れか一項に記載の電子時計。
【請求項７】
前記第２の駆動制御は、
前記分針を停止させた状態で前記時針のみを時の目盛で１時間の移動量だけ時刻表示中よりも速い速度で回転させる制御である請求項１〜６の何れか一項に記載の電子時計。
【請求項８】
前記回転操作部材の回転に伴って回転する磁石と、
前記磁石の回転に伴う磁界の変化を検出する磁気センサと、
を備え、
前記判別手段は、
前記磁気センサによる前記磁界の変化スピードに基づいて前記回転操作部材の回転速度が所定以上か否かを判別することを特徴とする請求項１〜７の何れか一項に記載の電子時計。
【発明の詳細な説明】
【技術分野】
【０００１】
この発明は、指針をステップモータで回転させるとともに回転操作部材を備えた電子時計に関する。
【背景技術】
【０００２】
複数のステップモータを搭載し、分針と時針とを独立して駆動することのできる電子時計がある。また、ユーザにより外部から回転操作されるリュウズを有し、このリュウズの回転操作により指針を進めて指針の位置を修正することのできる電子時計も開発されている（例えば特許文献１を参照）。
【先行技術文献】
【特許文献】
【０００３】
【特許文献１】特開２００８−１３４１２９号公報
【発明の概要】
【発明が解決しようとする課題】
【０００４】
ユーザが分針と時針とを早送りさせて、指針の位置を修正したり、アラーム時刻を設定したりする場合を考察する。
【０００５】
一般に、時針は短く、文字板上の目盛から離れて配置されている。また、時針は、１２時丁度の目盛や１時丁度の目盛など、３０°間隔に設けられた各時丁度の目盛を指し続けるものではなく、分の値に応じてこれら目盛の間を細かく移動する。従って、時針を分針と独立して細かい角度ずつ移動可能にすると、例えば１０時２３分など時針の位置が目盛の間に位置するような時刻では、時針の位置を正しく合わせるのが難しい。
【０００６】
また、時針と分針とを独立させて位置修正可能にするとともに、時針は時刻表示中の位置から１時間分の３０°単位で変更できるようにして位置修正を行う構成とした場合でも、次のような困難さが生じる。
【０００７】
例えば、分針が５８分の位置にあって時針を６時５８分の位置に合わせたいような場合、分針と時針が連動して動けば分かり難いことはないが、時針だけ独立的に動かしていると、６時の目盛に近い位置まで時針を送ったとき、直感的に６時台の時刻に合わせたような錯覚に陥ってしまう。さらに、７時の目盛に近い位置まで時針を送ってしまうと、合っているのに、直感的に７時台の時刻位置まで余計に針を進めてしまったような錯覚が生じて、時針をさらに移動させてしまうというような分かり難さが生じる。
【０００８】
一方、時刻表示中と同様に分針と時針とを連動させた状態で早送りを行って位置修正を行う構成とした場合、例えば８時間先の時刻位置まで分針と時針とを移動させるのに分針を８回も周回させなければならないなど、時間がかかり、また消費電力も多くなる。
【０００９】
この発明の目的は、ユーザの操作によって時針と分針とを早送りで所望の時刻位置まで移動させるのに、直感的な困難さを伴わずに時針と分針とを正しい時刻位置まで容易に移動させることができ、且つ、時刻位置の変更量が大きい場合には短時間で移動させることのできる電子時計を提供することにある。
【課題を解決するための手段】
【００１０】
本発明は、上記目的を達成するため、
分針と、
この分針を回転させる第１のステップモータと、
時針と、
この時針を回転させる第２のステップモータと、
外部から回転操作される回転操作部材と、
この回転操作部材が回転した際に前記回転操作部材の回転速度が所定以上か否かを判別する判別手段と、
前記判別手段の判別結果のパターンが第１パターンとなった場合に前記分針および前記時針を時刻表示中の回転比で連動させて早送りさせる第１の駆動制御を行う第１早送制御手段と、
前記判別手段の判別結果のパターンが第２パターンとなった場合に前記時針を早送りで１時間分進ませる第２の駆動制御を行う第２早送制御手段と、
を備え、
前記第２早送制御手段は、
前記判別手段の判別結果のパターンが前記第１パターンとなった後に前記第２パターンとなった場合に前記第２の駆動制御を行うことを特徴とする電子時計である。
また、本発明は、上記目的を達成するため、
分針と、
この分針を回転させる第１のステップモータと、
時針と、
この時針を回転させる第２のステップモータと、
外部から回転操作される回転操作部材と、
この回転操作部材が回転した際に前記回転操作部材の回転速度が所定以上か否かを判別する判別手段と、
前記判別手段の判別結果のパターンが第１パターンとなった場合に前記分針および前記時針を時刻表示中の回転比で連動させて早送りさせる第１の駆動制御を行う第１早送制御手段と、
前記判別手段の判別結果のパターンが第２パターンとなった場合に前記時針を早送りで１時間分進ませる第２の駆動制御を行う第２早送制御手段と、
を備え、
前記第２早送制御手段は、
前記第１の駆動制御中に前記判別手段の判別結果のパターンが前記第２パターンとなった場合に前記第２の駆動制御を行うことを特徴とする電子時計である。
【発明の効果】
【００１１】
本発明に従うと、回転操作部材を速く回すパターンによって、時針と分針とを連動させて早送りさせたり、時針だけ１時間分多く早送りさせたり、移動方式を切り替えながら時針と分針とを所望の時刻位置まで送ることができる。従って、ユーザは、回転操作部材の回転操作だけで、例えば、目的の時刻位置までの移動量が大きいときには、時針を１時間分多く進ませる処理を多く行って修正時間の短縮を図ることができる。また、目的の時刻位置に近づいてきた場合や、時針の位置と時刻との関係が分かり難くなってきた場合には、分針と時針とが連動して送られるように切り替えて、ユーザが分針と時針の指し示す時刻位置を直感的に正しく認識できる状態で、分針と時針とを所望の時刻位置へ容易に送ることができる。
【図面の簡単な説明】
【００１２】
【図１】本発明の実施形態の電子時計の全体構成を示すブロック図である。
【図２】リュウズの回転検出の構成部分を示す断面図である。
【図３】第１および第２の磁気検出素子３１，３２の出力の一例を示すタイムチャートである。
【図４】ＣＰＵにより実行される針位置変更処理の制御手順を示すフローチャートである。
【発明を実施するための形態】
【００１３】
以下、本発明の実施の形態を図面に基づいて説明する。
【００１４】
図１は、本発明の実施形態の電子時計１の全体構成を示すブロック図である。
【００１５】
この実施形態の電子時計１は、秒針２、分針３および時針４（指針２〜４とも記す）を回転させて時刻を表示する腕時計であり、ケーシングの側部にユーザによって回転操作可能なリュウズを有するものである。
【００１６】
指針２〜４は、ケーシング前面の風防ガラスの下に設けられた文字板上で回転する。通常の時刻表示モードにおいて、秒針２は１分で６０ステップ移動して一周し、分針３は１時間に３６０ステップ移動して一周し、時針４は１２時間で３６０ステップ移動して一周する。文字板の周縁部には、指針２〜４により指し示されて“時、分、秒”の値を表わす目盛が設けられており、秒針２と分針３は目盛に重なる長さを有する一方、時針４は短くて目盛に届かない長さになっている。
【００１７】
電子時計１は、図１に示すように、上記指針２〜４に加えて、機器の全体的な制御を行うＣＰＵ（中央演算処理装置）１０と、ＣＰＵ１０に作業用のメモリ空間を提供するＲＡＭ１１と、ＣＰＵ１０が実行する制御プログラムや制御データが格納されたＲＯＭ１２と、ＣＰＵ１０に一定周波数の信号を供給する発振回路１３および分周回路１４と、複数の操作ボタンを有しこれら操作ボタンの操作信号を入力するスイッチ部１５と、指針２〜４をそれぞれ回転させるためのステップモータ１９〜２１と、ステップモータ１９〜２１のローターの回転運動を指針２〜４にそれぞれ伝達する輪列機構２２〜２４と、ＣＰＵ１０からの指令によりステップモータ１９〜２１をそれぞれ駆動するステップモータ駆動回路１６〜１８と、リュウズの回転を検知する磁気センサとしての第１および第２磁気検出素子３１，３２と、第１および第２磁気検出素子３１，３２の検出信号をそれぞれハイとローの信号に二値化する二値化回路３３，３４等を備えている。ステップモータ２０が第１のステップモータの具体例であり、ステップモータ２１が第２のステップモータの具体例である。
【００１８】
ステップモータ１９〜２１は、二極のステップモータであり、ステップモータ駆動回路１６〜１８からそれぞれ駆動パルスが与えられることで、ローターが１ステップ（例えば１８０°）ずつ回転する。このローターの１ステップの回転運動が輪列機構を介して伝達されて対応する指針を１ステップ回転させる。
【００１９】
図２には、リュウズの回転検出の構成部分を表わした断面図を示す。この断面図は、回転検出の構成部分を、リュウズの回転軸に対して垂直で、且つ、第１および第２磁気検出素子３１，３２を通過する面で切断したときの図を示している。同図において、４０〜４２は電子時計１の内部で固定されている機枠である。
【００２０】
図２に示すように、リュウズの回転を検出する機構は、リュウズと連結されてリュウズとともに回転する操作軸４５と、操作軸４５の軸方向に長さを有する円筒形状の磁石４７と、磁石４７を回転自在に保持する押え板４３と、磁石４７の回転に伴う所定の磁極（例えばＮ極）の離間と近接とを検出する上述の第１および第２磁気検出素子３１，３２等から構成される。リュウズと操作軸４５により回転操作部材が構成される。
【００２１】
磁石４７は、円筒形状の磁石であり、中央に操作軸４５を通す貫通穴４７ａが設けられている。この貫通穴４７ａは、操作軸４５の一部と噛み合う形状にされ、例えば、リュウズと操作軸４５とが所定量だけ引き出された場合に、操作軸４５と貫通穴４７ａとが噛み合って、操作軸４５により磁石４７を回転することが可能となる。この構造により、ユーザがリュウズを引き出してリュウズを回転操作することで、電子時計１の内部で磁石４７が円筒形状の中心軸を中心に回転することになる。
【００２２】
図３には、第１磁気検出素子３１と第２磁気検出素子３２の出力の一例を示すタイムチャートを示す。同図（ａ）は、第１磁気検出素子３１の検出出力を受けて二値化回路３３からＣＰＵ１０に送られる出力信号ＯＵＴ１、（ｂ）は、第２磁気検出素子３２の検出出力を受けて二値化回路３４からＣＰＵ１０に送られる出力信号ＯＵＴ２である。
【００２３】
第１磁気検出素子３１は、例えば、磁石４７の一方の磁極（例えばＮ極）が近い場合に、検出出力が高くなり、この磁極が遠い場合に、検出出力が低下する。二値化回路３３は、この検出出力をしきい値電圧と比較して、この比較結果に応じてハイレベルまたはローレベルの出力信号ＯＵＴ１をＣＰＵ１０に送る。図３（ａ）に示すように、この出力信号ＯＵＴ１は、例えば、磁石４７の回転角度が、０°〜１８０°の際にハイレベルとなり、１８０°〜３６０°の際にローレベルとなる。
【００２４】
第２磁気検出素子３２およびこれに対応する二値化回路３４は、上記第１磁気検出素子３１およびこれに対応する二値化回路３３と同様に作用するが、第２磁気検出素子３２は、第１磁気検出素子３１と例えば６０°など磁石４７の円周方向に角度を異ならせて配置されている。従って、図３（ｂ）に示すように、第２磁気検出素子３２の検出出力に基づく二値化回路３４の出力信号ＯＵＴ２のハイレベルとローレベルに変化する位相は、他方の出力信号ＯＵＴ１のものから所定角度だけずれる。例えば、磁石４７の回転角度が６０°〜２４０°の際にハイレベルとなり、２４０°〜３６０°、０°〜６０°の際にローレベルとなる。
【００２５】
従って、ＣＰＵ１０は、これら出力信号ＯＵＴ１，ＯＵＴ２のハイレベル（Ｈとも記す）ローレベル（Ｌとも記す）の切り替わり、並びに、その順序に基づいて、磁石４７とリュウズの回転方向も判別することが可能となる。例えば、出力信号ＯＵＴ１，ＯＵＴ２の順にＬ→Ｈの切り替わりが生じた場合や、出力信号ＯＵＴ２がＬ→Ｈに切り替わった後に出力信号ＯＵＴ１がＨ→Ｌに切り替わった場合などには、順方向に回転していると判断できる。また、出力信号ＯＵＴ２，ＯＵＴ１の順にＨ→Ｌの切り替わりが生じた場合や、出力信号ＯＵＴ２がＬ→Ｈに切り替わった後に出力信号ＯＵＴ１がＬ→Ｈに切り替わった場合などには、逆方向に回転していると判断できる。
【００２６】
さらに、ＣＰＵ１０は、出力信号ＯＵＴ１，ＯＵＴ２のＬ→Ｈ或いはＨ→Ｌの切替りタイミングの間隔を計時することで、磁石４７の回転速度すなわちリュウズの回転速度を判別することができる。
【００２７】
この実施形態では、リュウズが一定方向に回転したときの回転速度が正しく判別できるように、２つの出力信号ＯＵＴ１，ＯＵＴ２に信号レベルの切り替わりが順次生じた場合に、このタイミングを回転キーの発生とし、この回転キーが２回発生した場合に、これら２回の回転キーの発生間隔を計時することでリュウズの回転速度を判別するようになっている。
【００２８】
図３のタイムチャートを参照して具体的に示せば、タイミングＴ１でリュウズが引き出されて回転操作が開始され、２つの出力信号ＯＵＴ１，ＯＵＴ２に順に信号レベルの切り替わりが生じたタイミングＴ２で１回目の回転キーの発生となり、続いて、同様に、２つの出力信号ＯＵＴ１，ＯＵＴ２に順に信号レベルの切り替わりが生じたタイミングＴ３で２回目の回転キーの発生となる。ＣＰＵ１０は、上記２回の回転キーの発生タイミングＴ２，Ｔ３の時間間隔ｘを計測することで、リュウズの回転速度を判別する。
【００２９】
ＲＡＭ１１には、分周回路１４の一定周波数の信号に基づきカウントアップされて常に現在時刻を表わすデータが格納される現在時刻カウンタが設けられている。
【００３０】
ＲＯＭ１２（図１参照）には、分周回路１４の一定周波数の信号に基づきＲＡＭ１１の現在時刻カウンタのカウントアップを行うとともに、この現在時刻カウンタのデータに同期するようにステップモータ駆動回路１６〜１８にパルス信号を出力して指針２〜４を回転させ、時刻を表示する時刻表示モード処理のプログラム、ならびに、ユーザがリュウズを回転操作して分針３と時針４の位置を変更する針位置変更処理のプログラムなどが格納されている。
【００３１】
［針位置変更処理］
次に、上記針位置変更処理について説明する。
【００３２】
針位置変更処理は、外部からのリュウズの回転操作に応じて分針３と時針４とを移動させて、分針３と時針４が指し示す時刻位置を変更する処理である。この処理は、例えば、電池交換後など指針２〜４の位置が現在時刻に全く合っていないとき、或いは、アラーム機能を有する電子時計であれば、指針２〜４の位置によりユーザがアラーム時刻を設定入力する際に利用される。
【００３３】
針位置変更処理は、分針３と時針４とが停止された状態で開始される。この針位置変更処理において、分針３と時針４の移動させる方式は４種類あり、リュウズの回転パターンによりこれら４種類の移動方式を切り替えながら分針３と時針４を移動させることが可能になっている。
【００３４】
第１の移動方式は、分針３と時針４とを連動させて１分の移動量（分針３の６ステップ分の移動量）だけ進むようにしたものある。ここで連動とは、両指針３，４が時刻表示中の回転比で移動することを意味し、第１の移動方式では、分針３が偶数分の位置に移動するごとに時針４が１ステップずつ移動するように制御される。
【００３５】
この第１の移動方式の移動は、リュウズを所定速度より遅く順方向に回転させることで実行される。
【００３６】
第２の移動方式は、分針３と時針４とを連動させて第１の早送り速度（例えば分針３が３２ｐｐｓ：パルス毎秒）で早送り移動させるとともに、この移動を停止の操作やその他の移動方式に切り替える操作がなされるまで継続させるものである。この第２の移動方式の移動は、リュウズを所定速度より速く順方向に１回回転させる操作パターン（第１パターン）により開始される。
【００３７】
第３の移動方式は、分針３と時針４とを連動させてより速い第２の早送り速度（例えば分針３が６４ｐｐｓ）で早送り移動させるとともに、この移動を停止の操作やその他の移動方式に切り替える操作がなされるまで継続させるものである。この第３の移動方式の移動は、第２の移動方式の駆動制御が行われている際に、さらにリュウズを所定速度より速く順方向に１回回転させることで開始される。すなわち、指針３，４が停止している状態から数えて、リュウズを２回早回しする操作パターン（第１パターン）により実行される。
【００３８】
第４の移動方式は、分針３を一旦停止させて時針４のみを１時間のステップ数（３０ステップ）だけ移動させるものである。この第４の移動方式の移動は、第３の移動方式の移動が行われている際に移行可能なように制御され、且つ、この第４の移動方式の移動が完了した後は、何の操作を行わなくても、再び、第３の移動方式の移動に移行するようになっている。
【００３９】
この第４の移動方式による指針３，４の移動は、第３の移動方式の駆動制御が行われている際に、さらにリュウズを所定速度より速く順方向に１回回転させることで実行される。すなわち、指針３，４が停止している状態から数えて、リュウズを３回以上早回しする操作パターン（第２パターン）により実行される。
【００４０】
［針位置変更処理の制御手順］
図４には、ＣＰＵ１０により実行される針位置変更処理のプログラムを示す。
【００４１】
上述した針位置変更処理は、図４の制御手順によって実現される。図４の針位置変更処理は、例えば、ユーザが操作ボタンを操作して針位置変更モードに切り替えることで開始され、ユーザが操作ボタンを操作して時刻表示モードに戻すことでプログラムの外部から終了処理される。或いは、リューズの引き出しと押し戻しを検知するスイッチを設けて、このスイッチの信号に基づき、リューズが引き出された際に開始され、リューズが押し戻された際に終了するようにしても良い。
【００４２】
この針位置変更処理が開始されると、先ず、ＣＰＵ１０は、１回目のリュウズの回転の有無を判別し（ステップＳ１）、無ければ、有るまでこの判別を続ける。ここで、リュウズの回転とは、上述した回転キーの発生（図３のタイミングＴ２，Ｔ３の変化）のことであり、リュウズを半回転させるごとに１回回転有りと判別される。具体的には、ＣＰＵ１０は、２つの出力信号ＯＵＴ１，ＯＵＴ２に順に信号レベルの切り替わりが生じた場合に、リュウズの１回の回転有りと判別する。
【００４３】
リュウズが回転操作されて、ステップＳ１でリュウズの回転有りと判別されたら、次に、ＣＰＵ１０は、出力信号ＯＵＴ１，ＯＵＴ２の信号レベルの切替り順序および切り替わりのパターンに基づいてリュウズの回転方向を判別する（ステップＳ２）。その結果、順方向の回転であれば、ＣＰＵ１０はリュウズの回転速度を計測するための計時を開始する（ステップＳ３）。そして、再度、リュウズの回転の有無を判別し（ステップＳ４）、無ければ、有るまでこの判別を続ける。
【００４４】
続いて、２回目のリュウズの回転（リュウズの半回転ごとに１回発生する回転キー）が検出されたら、ＣＰＵ１０は、ステップＳ３で開始した計時を停止する（ステップＳ５）。上記のステップＳ１〜Ｓ５の処理により、例えば、図３に示した時間間隔ｘが計測される。
【００４５】
計時を停止したら、次に、ＣＰＵ１０は、この計測時間が所定のしきい値以下であるか判別する（ステップＳ６）。すなわち、この判別によりリュウズの回転速度が所定速度以上か否かを判別している。
【００４６】
ステップＳ６の判別の結果、計測時間がしきい値より大きければ、リュウズの回転速度が所定速度より遅いと判断できるので、上述した第１の移動方式で指針３，４を移動させる駆動制御を行う（ステップＳ７）。すなわち、ＣＰＵ１０は、ステップモータ駆動回路１７，１８に必要なパルス信号を出力して、分針３と時針４とを連動させた状態で１分の移動量（分針３は６ステップ、時針４は分針３が偶数分の位置に進むごとに１ステップ）だけ進ませる駆動処理を実行する。これにより上述の第１の移動方式の移動が遂行される。
【００４７】
そして、ステップＳ７の駆動処理が完了したら、再び、ステップＳ１に戻って、次のリュウズの回転操作があるまで待機となる。
【００４８】
一方、ステップＳ６の判別の結果、計測時間がしきい値以下であれば、リュウズの回転速度が所定速度以上と判断できるので、先ず、現在、指針３，４を連動させて第１の早送り速度（３２ｐｐｓ）又は第２の早送り速度（６４ｐｐｓ）で回転駆動中であるか判別する（ステップＳ８）。そして、この回転駆動中でなければ、指針３，４を連動させて第１の早送り速度で継続的に移動させる駆動処理を開始させる（ステップＳ９：第１早送制御手段）。これにより上述の第２の移動方式の駆動処理が開始される。
【００４９】
なお、この指針３，４を連動させて継続的に移動させる駆動処理は、針位置変更処理の中で実行されるものではなく、この針位置変更処理と並列的に実行されるモータ駆動処理の中で実行されるものである。つまり、ステップＳ９では並行的に実行されているモータ駆動処理に早送り駆動処理を開始させる要求を発行し、それにより、モータ駆動処理の中でステップモータ駆動回路１７，１８にパルス信号を出力する処理が継続的に実行されて、分針３と時針４とが連動して継続的に回転駆動される。
【００５０】
そして、ステップＳ９の駆動開始の処理を行ったら、再び、ステップＳ１に戻って、次のリュウズの回転操作があるまで待機状態となる。この待機期間にも、ステップＳ９で開始された第１早送り速度の駆動処理は継続される。
【００５１】
一方、ステップＳ８の判別処理で、現在、第１の早送り速度（３２ｐｐｓ）又は第２の早送り速度（６４ｐｐｓ）で運針中であると判別されたら、続いて、ＣＰＵ１０は、現在、指針３，４を連動させて第２の早送り速度（６４ｐｐｓ）で回転駆動中であるか判別する（ステップＳ１０）。そして、この回転駆動中でなければ、指針３，４を連動させて第２の早送り速度で継続的に移動させる駆動処理を開始させる（ステップＳ１１：第１早送制御手段）。これにより上述の第３の移動方式の駆動処理が開始される。
【００５２】
このステップＳ１１の処理においても、実際の駆動制御は実行されず、並行的に実行されるモータ駆動処理に第２早送り速度の駆動処理を開始させる要求が発行されるだけである。このモータ駆動処理の中で、ＣＰＵ１０がモータ駆動回路１７，１８にパルス信号を出力する処理を継続的に実行して、分針３と時針４とを継続的に早送りさせる。
【００５３】
そして、ステップＳ１１の駆動開始の処理を行ったら、再び、ステップＳ１に戻って、次のリュウズの回転操作があるまで待機状態となる。この待機期間にも、ステップＳ１１で開始した第２早送り速度の駆動処理は継続される。
【００５４】
また、ステップＳ１０の判別処理で、現在、第２の早送り速度（６４ｐｐｓ）の運針中であると判別されたら、次に、ＣＰＵ１０は、分針３と時針４とを一時的に停止させ（ステップＳ１２）、続いて、ステップモータ駆動回路１８のパルス信号を出力して時針４を３０ステップ早送りさせる（ステップＳ１３）。これにより上述の第４の移動方式の移動が遂行される。ステップＳ１２，Ｓ１３の処理により第２早送制御手段が構成される。
【００５５】
次いで、ＣＰＵ１０は、再び、分針３と時針４とを連動させて第２の早送り速度で移動させる駆動処理を開始させて（ステップＳ１４）、再び、ステップＳ１に戻って、次のリュウズの回転操作があるまで待機状態となる。この待機期間にも、ステップＳ１４で再開した第２早送り速度の駆動処理は継続される。
【００５６】
一方、ステップＳ１の判別処理で１回目のリュウズの回転有りと判別された後、ステップＳ２で逆回転と判別された場合、ＣＰＵ１０は、現在、指針３，４を早送り駆動中であるか否かを判別する（ステップＳ１５）。そして、早送り駆動中であれば、並行的に実行されているモータ駆動処理に駆動処理を停止させる要求を発行する（ステップＳ１６）。これにより指針３，４は停止する。そして、再び、ステップＳ１に戻って、次のリュウズの回転操作があるまで待機状態となる。
【００５７】
そして、さらに、リュウズの回転があれば、リュウズの回転方向、回転速度、早回しの回数に応じた分岐が行われて、上述の第１〜第４の移動方式で分針３と時針４が回転駆動されたり、この移動を停止したりすることができるようになっている。
【００５８】
以上のように、この実施形態の電子時計１によれば、リュウズが所定速度以上で回転操作されたか否かを判別し、リュウズの早回しのパターン（具体的には早回し回数が２回のパターンと３回以上のパターン）によって、分針３と時針４とを連動させて早送りする移動方式と、時針４を分針３よりも１時間分多く移動させる移動方式とが切り替えられるようになっている。従って、ユーザは、リュウズの回転操作だけで、分針３と時針４の移動方式を切り替えて、例えば、指針３，４を移動させる目的の時刻位置までまだ長い場合には、時針４を１時間多く進ませる処理を多く行って指針３，４の移動時間の短縮を図ることができる。また、目的の時刻位置に近づいてきた場合、或いは、時針４の位置と時刻との関係が分かり難くなってきた場合に、分針３と時針４とが連動する移動方式に切り替えて、時刻位置を直感的に正しく認識できる状態で分針３と時針４とを所望の時刻位置へ送ることが可能となる。
【００５９】
また、この実施形態の電子時計１では、時針４のみを１時間分多く早送りするためのリュウズの操作パターン（早回し回数が３回以上となるパターン）が、分針３と時針４とを連動させて早送りするためのリュウズの操作パターン（早回し回数が１回または２回となるパターン）を経た後に、生じさせることのできるパターンになっている。従って、ユーザは、分針３と時針４を連動させて早送りしている際に時針４を１時間分多く早送りする移動を行わせることが可能となる。それにより、ユーザは時針４を１時間分早送りする際にも分針３の位置が認識された状態となり、次のような錯覚や操作ミスを少なくすることができる。すなわち、例えば、分針が５８分の位置にあって時針を６時５８分の位置に合わせる場合に、分針３を停止させたまま時針４のみを１時間分ずつ進めていると、時針４が７時の目盛に近い位置まで来たときに、合っているのに１時間多く進めてしまったような錯覚が生じて、さらに時針４を進めてしまうといった操作ミスを起こしやすい。しかしながら、このような錯覚および操作ミスを少なくすることができる。
【００６０】
また、この実施形態の電子時計１では、指針３，４が連動して第２の早回し速度で回転している際、さらにリュウズの早回し操作を行うことで、時針４のみを１時間の移動量だけ多く早送りで進めることができる。従って、この構成により、時針４を１時間多く進めるという動作が単発で行われることがなく、分針３と時針４とが連動された早送りの動作中に行われるようにすることができる。
【００６１】
また、この実施形態の電子時計１では、時針４を１時間分多く早送りで進める駆動制御が行われたら、その後、自動的に分針３と時針４とが連動して早送り移動される駆動制御に戻るようになっている。従って、時針４のみを１時間分多く進めるという動作が、単独で行われることなく、分針３と時針４とが連動された早送りの動作中に行われるようにすることができ、目的の時刻位置までの移動量がまだ長い場合に時針４を１時間多く早送りさせるのに都合が良い。
【００６２】
また、この実施形態の電子時計１によれば、指針３，４を連動させた早送りが、リュウズの早回しを１回又は２回行うことで行われ、時針４を１時間分多く移動させる早送りが、リュウズの早回しをさらに１回多く行うごとに行われるようになっている。従って、ユーザは、上記のような操作によって指針３，４の早送り動作を簡単に切り替えることができる。
【００６３】
なお、指針３，４の移動方式を切り替えるリュウズの操作パターンは、上記実施の形態の例に限られるものではない。例えば、リュウズを遅く回転させた際に、指針３，４を連動させた早送りを行い、リュウズを早く回転させた際に、時針４が１時間分多く移動するように構成しても良い。このような構成としても、ユーザは簡単な操作によりって指針３，４の移動方式を切り替えることができる。
【００６４】
また、この実施形態の電子時計１では、時針４を１時間だけ多く早送りで進める際に、分針３を一時停止させているので、容易な制御で分針３と時針４の配置関係を崩さないようにできる。
【００６５】
また、この実施の形態の電子時計１によれば、リュウズの回転に伴うように磁石を回転させ、この磁石の磁極の近接と離間とを検出することでリュウズの回転の検出やその回転速度の計測を行っている。それゆえ、これらの検出および計測を低コストに且つ確実に行うことができる。
【００６６】
なお、本発明は、上記実施の形態に限られるものではなく、様々な変更が可能である。例えば、上記実施の形態では、磁気検出素子を用いてリュウズの回転速度を計測する構成を採用しているが、回転速度を計測する構成はこの構成に限られず種々の公知技術を適用しても良い。また、この実施形態では、文字板に分や時の値を表わす目盛を有すると説明したが、文字板や目盛の有無は特に制限されるものではない。
【００６７】
また、時針４を１時間分多く早送りする方式として、上記実施形態では、分針３を一旦停止させた状態で時針４を１時間分のステップ数だけ早送りする方式を例示したが、分針３も移動させながら時針４を１時間分のステップ数に加えてその間に分針３が進んだ量に応じたステップ数だけ早送りにより進める方式を適用しても良い。
【００６８】
また、指針３，４を早送りする際の速度や、リュウズの回転時間を計測する際の計時開始の点と終了の点の角度などについては、実施形態に示したものは一例に過ぎない。その他、実施形態に示した細部は発明の趣旨を逸脱しない範囲で適宜変更可能である。
【００６９】
本発明のいくつかの実施形態を説明したが、本発明の範囲は、上述の実施の形態に限定するものではなく、特許請求の範囲に記載された発明の範囲とその均等の範囲を含む。以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
分針と、
この分針を回転させる第１のステップモータと、
時針と、
この時針を回転させる第２のステップモータと、
外部から回転操作される回転操作部材と、
この回転操作部材が回転した際に前記回転操作部材の回転速度が所定以上か否かを判別する判別手段と、
前記判別手段の判別結果のパターンが第１パターンとなった場合に前記分針および前記時針を連動させて早送りさせる第１の駆動制御を行う第１早送制御手段と、
前記判別手段の判別結果のパターンが第２パターンとなった場合に前記分針の進み量よりも前記時針を早送りで１時間分多く進ませる第２の駆動制御を行う第２早送制御手段と、
を備えていることを特徴とする電子時計。
＜請求項２＞
前記第２早送制御手段は、
前記判別手段の判別結果のパターンが前記第１パターンとなった後に前記第２パターンとなった場合に前記第２の駆動制御を行うことを特徴とする請求項１記載の電子時計。
＜請求項３＞
前記第２早送制御手段は、
前記第１の駆動制御中に前記判別手段の判別結果のパターンが前記第２パターンとなった場合に前記第２の駆動制御を行うことを特徴とする請求項１記載の電子時計。
＜請求項４＞
前記第１早送制御手段は、
前記第２早送制御手段により前記第２の駆動制御が実行された後、再び、前記第１の駆動制御を開始することを特徴とする請求項２又は３に記載の電子時計。
＜請求項５＞
前記第１パターンとは、
前記所定以上の回転速度の判別がＮ回（Ｎは任意の整数）行われたパターンであり、
前記第２パターンとは、
前記第１パターンに続いて、さらに、前記所定以上の回転速度の判別がＭ回（Ｍは任意の整数）行われたパターンである
ことを特徴とする請求項１〜４の何れか一項に記載の電子時計。
＜請求項６＞
前記第１パターンとは、
前記所定以上の回転速度でないと判別されたパターンであり、
前記第２パターンとは、
前記所定以上の回転速度であると判別されたパターンである
ことを特徴とする請求項１〜４の何れか一項に記載の電子時計。
＜請求項７＞
前記第１の駆動制御は、
前記分針が分の目盛で６０分の移動量を進む間に前記時針が時の目盛で１時間分の移動量を進むように前記分針と前記時針とを連動させ、且つ、時刻表示中よりも速い速度で回転させる制御であることを特徴とする請求項１〜６の何れか一項に記載の電子時計。
＜請求項８＞
前記第２の駆動制御は、
前記分針を停止させた状態で前記時針のみを時の目盛で１時間の移動量だけ時刻表示中よりも速い速度で回転させる制御である請求項１〜７の何れか一項に記載の電子時計。
＜請求項９＞
前記回転操作部材の回転に伴って回転する磁石と、
前記磁石の回転に伴う磁界の変化を検出する磁気センサと、
を備え、
前記判別手段は、
前記磁気センサによる前記磁界の変化スピードに基づいて前記回転操作部材の回転速度が所定以上か否かを判別することを特徴とする請求項１〜８の何れか一項に記載の電子時計。
【符号の説明】
【００７０】
１    電子時計
２    秒針
３    分針
４    時針
１０  ＣＰＵ
１１  ＲＡＭ
１２  ＲＯＭ
１３  発振回路
１４  分周回路
１５  スイッチ部
１９〜２１    ステップモータ
２２〜２４    輪列機構
【図１】
0005691728.tif 000002
【図２】
0005691728.tif 000003
【図３】
0005691728.tif 000004
【図４】
0005691728.tif 000005